(57)【要約】【課題】原稿の斜行取りにおける撓みを解消するときに発生する音を低減すること。【解決手段】原稿搬送装置は、レジストローラ対７の回転を停止させ、かつ分離ローラ５を回転させて、原稿の先端をレジストローラ対に当接させた状態で該原稿の後半部分を搬送させて原稿を撓ませた後、分離ローラの回転を停止させた状態で、レジストローラ対を回転させて、撓みを解消させている途中で、分離ローラを回転させる。これによって、回転止めされている分離ローラから原稿を引っ張り出すことがなくなり、撓みの解消によって生じるループ解消音を低減できる。【選択図】図７
2015086059.tif 000002
【特許請求の範囲】
【請求項１】
シートを搬送する搬送ローラと、
前記搬送ローラのシート搬送方向の下流に配置されて、前記搬送ローラによって搬送されるシートを搬送するレジストローラ対と、
前記搬送ローラと前記レジストローラ対とを回転させる共通の回転駆動源と、
前記回転駆動源と前記搬送ローラとの間に設けられた第１のクラッチと、
前記回転駆動源と前記レジストローラ対との間に設けられた第２のクラッチと、
前記第１のクラッチと前記第２のクラッチとを制御して、前記搬送ローラと前記レジストローラ対とを回転及び停止させる制御部と、を備え、
前記制御部は、前記レジストローラ対の回転を停止させ、かつ前記搬送ローラを回転させて、シートの先端を前記レジストローラ対に当接させた状態で該シートの後半部分を搬送させてシートを撓ませた後、前記搬送ローラの回転を停止させた状態で、前記レジストローラ対を回転させて、前記撓みを解消させている途中で、前記搬送ローラを回転させる、
ことを特徴とするシート搬送装置。
【請求項２】
前記搬送ローラのシート搬送速度は、前記レジストローラ対のシート搬送速度より、速く設定されており、
前記制御部は、シートの前記撓みが解消されるまでに前記搬送ローラを回転させた後、前記搬送ローラの停止と回転とを繰り返し、かつ該回転の時間を回転させる度に短くする、
ことを特徴とする請求項１に記載のシート搬送装置。
【請求項３】
シート搬送装置と、
前記シート搬送装置によって搬送される原稿を読み取る読取部と、を備え、
前記シート搬送装置が、請求項１又は２に記載のシート搬送装置である、
ことを特徴とする画像読取装置。
【請求項４】
シート搬送装置と、
前記シート搬送装置によって搬送されるシートに画像を形成する画像形成部と、を備え、
前記シート搬送装置が、請求項１又は２に記載のシート搬送装置である、
ことを特徴とする画像形成装置。
【発明の詳細な説明】
【技術分野】
【０００１】
本発明は、シートを搬送するシート搬送装置と、このシート搬送装置を備えた画像読取装置、および画像形成装置に関する。
【背景技術】
【０００２】
従来、シートに画像を形成する複写機、ファクシミリなどの画像形成装置は、装置本体に、原稿を自動的に搬送して、自動的に読み取る画像読取装置を備えている場合がある。この場合、画像読取装置は、シートとしての原稿を搬送するシート搬送装置を備えている。
【０００３】
画像読取装置は、真っ直ぐな状態で搬送されてくる原稿を読み取る必要がある。このため、シート搬送装置は、斜めに搬送されてくる原稿を、読み取る前に真っ直ぐに修正する機能を備えている。
【０００４】
原稿を真っ直ぐに修正する方法を図８に基づいて説明する。図８（Ａ）に示すように、搬送ローラ２０１によって原稿Ｄの先端Ｄａを、搬送ローラ２０１の下流で回転を停止しているレジストローラ対２０２のニップＮＰに、突き当てて、搬送ローラ２０１の回転を継続させる。すると、図８（Ｂ）に示すように、原稿の後半部分Ｄｂが搬送を継続されるため、原稿Ｄの先端Ｄａがレジストローラ対２０２のニップに倣わされて、原稿Ｄに撓みが生じ、原稿Ｄの斜行が真っ直ぐに矯正される。真っ直ぐに矯正された原稿Ｄは、図８（Ｃ）に示すように、レジストローラ対２０２の回転によって搬送されて、撓みが解消される。このように、原稿Ｄの斜行を真っ直ぐに矯正して搬送するシート搬送装置は、特許文献１に開示されている。
【先行技術文献】
【特許文献】
【０００５】
【特許文献１】特開２００１−３１０８３９号公報
【発明の概要】
【発明が解決しようとする課題】
【０００６】
ところで、従来のシート搬送装置は、図８（Ｃ）に示すように、レジストローラ対２０２の回転によって原稿を搬送して撓みを解消するとき、上流側の搬送ローラ２０１は、回転しておらず、原稿Ｄに引っ張られて、追従回転するようになっている。このため、原稿は、レジストローラ対２０２によって撓みを解消されて、搬送ローラ２０１を追従回転させるとき、図８（Ｄ）に示すように、下流部部分に急に負荷が加わり、引っ張られた状態になる。
【０００７】
このように、従来のシート搬送装置は、原稿を撓ませておいてから、張った状態にするため、原稿を引っ張ったとき、音を発生するという問題があった。
【０００８】
なお、以上のシート搬送装置は、画像形成装置の装置本体内にも設けられて、シートを真っ直ぐに搬送して、シートに形成される画像の位置がずれないようにしているが、この場合も、上記と同様な問題が生じている。
【０００９】
本発明は、シートの撓みを解消するときに発生する音を低減したシート搬送装置、このシート搬送装置を備えた画像読取装置、および画像形成装置を提供することにある。
【課題を解決するための手段】
【００１０】
本発明のシート搬送装置は、シートを搬送する搬送ローラと、前記搬送ローラのシート搬送方向の下流に配置されて、前記搬送ローラによって搬送されるシートを搬送するレジストローラ対と、前記搬送ローラと前記レジストローラ対とを回転させる共通の回転駆動源と、前記回転駆動源と前記搬送ローラとの間に設けられた第１のクラッチと、前記回転駆動源と前記レジストローラ対との間に設けられた第２のクラッチと、前記第１のクラッチと前記第２のクラッチとを制御して、前記搬送ローラと前記レジストローラ対とを回転及び停止させる制御部と、を備え、前記制御部は、前記レジストローラ対の回転を停止させ、かつ前記搬送ローラを回転させて、シートの先端を前記レジストローラ対に当接させた状態で該シートの後半部分を搬送させてシートを撓ませた後、前記搬送ローラの回転を停止させた状態で、前記レジストローラ対を回転させて、前記撓みを解消させている途中で、前記搬送ローラを回転させる、ことを特徴としている。
【００１１】
本発明の画像読取装置は、シート搬送装置と、前記シート搬送装置によって搬送される原稿を読み取る読取部と、を備え、前記シート搬送装置が、上記のシート搬送装置である、ことを特徴としている。
【００１２】
本発明の画像形成装置は、シート搬送装置と、前記シート搬送装置によって搬送されるシートに画像を形成する画像形成部と、を備え、前記シート搬送装置が、上記のシート搬送装置である、ことを特徴としている。
【発明の効果】
【００１３】
本発明のシート搬送装置は、制御部が、搬送ローラの回転を停止させた状態で、レジストローラ対を回転させて、撓みを解消させている途中で、搬送ローラを回転させるようになっている。このように、本発明のシート搬送装置は、撓みを解消してから搬送ローラを回転させるのではなく、撓みを解消している途中で搬送ローラを回転させるようになっている。したがって、本発明のシート搬送装置は、従来よりも早目に搬送ローラを回転させるので、撓んだ原稿を引っ張ることが無く、撓みを解消するときに発生する音を低減することができる。
【００１４】
本発明の画像読取装置は、原稿の撓みを解消するときに発生する音を低減することのできるシート搬送装置を備えているので、騒音を小さくすることができる。
【００１５】
本発明の画像形成装置は、シートの撓みを解消するときに発生する音を低減することのできるシート搬送装置を備えているので、騒音を小さくすることができる。
【図面の簡単な説明】
【００１６】
【図１】本発明の実施形態における画像形成装置のシート搬送方向に沿った断面図である。
【図２】本発明の実施形態における画像読取装置のシート搬送方向に沿った断面図である。
【図３】図２の部分拡大図であり、本発明の実施形態のシート搬送装置の原稿搬送方向に沿った断面図である。
【図４】図３における分離ローラ、レジストローラ対、その他のローラの回転駆動機構を示す概略図である。
【図５】画像読取装置の制御ブロック図である。
【図６】図４に示す電磁クラッチの回転伝達動作と回転遮断動作とを示すタイムチャートである。
【図７】本発明の実施形態のシート搬送装置において、原稿の撓みが生じて、その撓みが解消される状態を示す図である。
【図８】従来のシート搬送装置において、原稿の撓みが生じて、その撓みが解消される状態を示す図である。
【発明を実施するための形態】
【００１７】
以下、本発明の実施形態のシート搬送装置、このシート搬送装置を備えた画像読取装置、およびシート搬送装置を備えた画像形成装置と、を図に基づいて説明をする。
【００１８】
図１は、本発明の実施形態の画像形成装置のシート搬送方向に沿った断面図である。図２は、本発明の実施形態における画像読取装置のシート搬送方向に沿った断面図である。図３は、図２の部分拡大図であり、本発明の実施形態のシート搬送装置の原稿搬送方向に沿った断面図である。図４は、図３における分離ローラ、レジストローラ対、その他のローラの回転駆動機構を示す概略図である。
【００１９】
画像形成装置１０１は、例えば複写機、ファクシミリであり、装置本体１０１Ａと、装置本体１０１Ａの上部に備えられた画像読取装置１０４とで構成されている。画像読取装置１０４は、原稿を自動的に給送する原稿給送部１０２と、原稿の画像を読み取る原稿読取部１０３とで構成されている。
【００２０】
原稿読取部１０３は、原稿が通過する流し読みガラス１７Ａと、原稿が載置される固定読みガラス１７Ｂと、流し読みガラス１７Ａと固定読みガラス１７Ｂとの下側に位置する読取走査ユニット１８等を有している。読取走査ユニット１８は、流し読みガラス１７Ａと固定読みガラス１７Ｂの下側を副走査方向（図１において左右方向）に往復移動するようになっている。読取走査ユニット１８は、公知であるので、構成の説明を省略する。
【００２１】
原稿給送部１０２（詳細は後述する）は、流し読みガラス１７Ａと、固定読みガラス１７Ｂとに対して開閉可能に、原稿読取部１０３に設けられている。原稿給送部１０２と原稿読取部１０３との開閉の境目は図１の矢印Ｚで示す部分である。
【００２２】
原稿給送部１０２は、ユーザによって原稿トレイ３に載置された原稿Ｄを原稿読取部１０３の流し読みガラス１７Ａに自動的に搬送するようになっている。流し読みガラス１７Ａの副走査方向の中央が画像読取位置Ｒである。読取走査ユニット１８は、流し読みガラス１７Ａの下側に停止して、流し読みガラス１７Ａ上を、通過する原稿を読み取るようになっている。この読み方を「流し読み」と称する。読取走査ユニット１８が停止した位置は、流し読みにおける画像読取位置Ｒである。また、読取走査ユニット１８は、原稿台１７の固定読みガラス１７Ｂの下側を副走査方向に移動して、固定読みガラス１７Ｂに載置された原稿を読み取るようになっている。このとき、原稿は、流し読みガラス１７Ａと固定読みガラス１７Ｂとを閉めた原稿給送部１０２によって、固定読みガラス１７Ｂに押圧されている。この読み方を「固定読み」と称する。
【００２３】
原稿読取部１０３は、流し読みと固定読みとの何れの読み方であっても、読取走査ユニット１８が原稿に光を照射し、その照射した光の反射光を受光して、原稿を光学的に読み取るようになっている。そして、原稿読取部１０３は、光を電気信号に変換し、電気信号に基づいて画像データ（画像読取情報）を作成するようになっている。
【００２４】
図１において、画像形成装置１０１の装置本体１０１Ａは、画像データに基づいてシートに複写画像を形成するようになっている。
【００２５】
装置本体１０１Ａの動作を説明する。感光体ドラム１２１の外周の表面は、帯電器１２２によって帯電される。露光部１２３は、画像読取装置１０４からの原稿の画像の電気信号や画像データに基づいてレーザ光で、回転する感光体ドラム１２１の表面を照射して、表面に静電潜像を形成する。静電潜像は、現像器１２４で現像（トナーを供給）されてトナー画像となる。なお、感光体ドラム１２１、帯電器１２２、現像器１２４等は、画像形成部１３３を形成している。
【００２６】
一方、装置本体１０１Ａの下部には、各種サイズのシートＰを載置されたカセット１３７ａ，１３７ｂ，１３７ｃ，１３７ｄが配置されている。カセット１３７ａ，１３７ｂ，１３７ｃ，１３７ｄのシートＰは、それぞれ給送ローラ１３８ａ，１３８ｂ，１３８ｃ，１３８ｄによって１枚ずつ取り出され、搬送ローラ対１３１に受け渡される。シートは、手差しトレイ１３７ｅからも給送ローラ１３８ｅへ受け渡されるようになっている。
【００２７】
その後、シートＰは、レジストローラ対１３６によって斜行を真っ直ぐに矯正されて、かつ感光体ドラム１２１上のトナー画像と位置を合わされて、感光体ドラム１２１と転写帯電器１２５との間に供給される。シートＰは、転写帯電器１２５によって感光体ドラム上のトナー画像を転写され、分離帯電器１２６によって感光体ドラム１２１から分離される。クリーナ１２７は、トナー画像を転写した感光体ドラム１２１の表面をクリーニングする。そして、帯電器１２２は、次の露光に備えて感光体ドラム１２１の表面を帯電する。
【００２８】
一方、トナー画像を転写されたシートＰは、搬送部１２８によって定着器１２９へ搬送され、定着器１２９で加熱と加圧を受けて表面にトナー画像を定着される。そして、トナー画像が定着されたシートＰは、シート排出トレイ１３０に排出される。以上の、装置本体１０１Ａの動作は、ＣＰＵ１３２の制御によって行われる。ＣＰＵ１３２は、後述する画像読取装置１０４のＣＰＵ５０との信号の授受によって、画像形成装置１０１全体の制御も行うようになっている。
【００２９】
図２、図３において、原稿給送部１０２は、主に、次の各構成要素から成り立っている。原稿が積載される原稿トレイ３。原稿トレイ３の上に積載された原稿Ｄをピックアップするピックアップローラ４。ピックアップローラ４から送られてきた１枚の原稿を、又は、複数枚の原稿が送られてきたときには、最上の原稿１枚のみを給送する互いに圧接した分離ローラ５及び摩擦板１６。分離ローラ５から送られてきた原稿Ｄの先端を受け止めて原稿の斜行を補正し、読み取りタイミングに合わせて原稿を流し読みエリア１０５に向けて搬送するレジストローラ対７。分離ローラ５とレジストローラ対７の間に配置され、分離ローラ５から送られてきた原稿の先端を検知するレジストセンサ８。読み取りエリア１０５の流し読みガラス１７Ａに原稿を密着させる白色ローラ９。流し読みガラス１７Ａと固定読みガラスＢとの間に設けられて原稿を流し読みガラス１７Ａから掬い上げる掬い上げ部材２０。白色ローラ９の上流と下流とに配置されたリードローラ対１０，１１。リードローラ対１０，１１に搬送された原稿を排出方向に搬送する排出ローラ対１２。排出ローラ対１２によって排出される原稿が積載される原稿排出トレイ１３。以上の構成において、ピックアップローラ４、分離ローラ５、および摩擦板１６は、給紙分離部６を構成している。また、原稿搬送経路１９の途中で、流し読みガラス１７Ａの上面に搬送される原稿を流し読みする領域は、画像読取位置Ｒであり、流し読みエリア１０５である。
【００３０】
図４は、図２、図３の、ピックアップローラ４、分離ローラ５、レジストローラ対７、リードローラ対１０，１１（ローラ対は一方のローラのみ図示）、白色ローラ９、及び排出ローラ対１２を回転させる回転駆動部３０を示す概略図である。
【００３１】
駆動モータ３１と歯付きプーリ３２とには、歯付きベルト３３が架け渡してある。プーリ３２と一体のアイドルギア３４は、第１の電磁クラッチ１４と第２の電磁クラッチ１５との回転力入力側１４ａ，１５ａに回転伝達結合されている。第１の電磁クラッチ１４と第２の電磁クラッチ１５との回転力出力側１４ｂ，１５ｂには、分離ローラ５とレジストローラ対（一方のローラのみ図示）７とが回転伝達結合されている。また、第１の電磁クラッチ１４の回転力出力側１４ｂに設けられた歯付きプーリ３５と、ピックアップローラ４と一体の歯付きプーリ３６とには、歯付きベルト３７が架け渡してある。
【００３２】
駆動モータ３１と歯付きプーリ４１とには、歯付きベルト４２が架け渡してある。歯付きプーリ４１と、リードローラ対１０、白色ローラ９、およびリードローラ対１１とには、歯付きベルト４３が架け渡してある。歯付きプーリ４１は、歯付きプーリ４１と一体のギア４４とアイドルギア４５とを介して排出ローラ対１２に回転伝達結合されている。駆動モータ３１は、各ローラ４，５，７，９，１０，１１，１２を回転させる共通の回転駆動源である。
【００３３】
以上の構成において、レジストセンサ８、駆動モータ３１、第１のクラッチとしての第１の電磁クラッチ１４、および第２のクラッチとしての第２の電磁クラッチ１５は、制御部としてのＣＰＵ５０（図５）に接続されている。
【００３４】
また、搬送ローラとしての分離ローラ５、レジストローラ対７、駆動モータ３１、第１の電磁クラッチ１４、第２の電磁クラッチ１５、およびＣＰＵ５０は、シート搬送装置１１０を構成している。
【００３５】
図６は、図４に示す電磁クラッチが駆動モータ３１の回転力を各ローラに伝達する回転伝達動作（この状態を「ＯＮ」とする）と、その伝達を断つ回転遮断動作（この状態を「ＯＦＦ」とする）とを示すタイムチャートである。図７は、原稿の撓みが生じて、その撓みが解消される状態を示す図である。
【００３６】
最初、図４の第１の電磁クラッチ１４と第２の電磁クラッチ１５は、ＯＦＦになっている。画像形成装置に電源が投入されて、原稿トレイ３に原稿が載置されていると、ＣＰＵ５０は、駆動モータ３１を回転させる。また、ＣＰＵ５０は、第１の電磁クラッチ１４をＯＦＦからＯＮにする（Ｔ１）。しかし、ＣＰＵ５０は、第２の電磁クラッチ１５をＯＦＦのままにしておく。すると、レジストローラ対７以外の、ピックアップローラ４、分離ローラ５、リードローラ対１０、白色ローラ９、リードローラ対１１、及び排出ローラ対１２が回転する。
【００３７】
ピックアップローラ４は、原稿トレイ３に載置された複数枚の原稿の内、最上位の原稿を下流の分離ローラ５と摩擦板１６との間に送り出す。分離ローラ５は、ピックアップローラ４から送り出された原稿が１枚の場合、そのまま受け取って下流のレジストローラ対７に向けて送り出す。しかし、ピックアップローラ４から送り出された原稿が複数枚の場合、分離ローラ５は、最上位の原稿１枚のみを分離して下流のレジストローラ対７に送り出す。このとき、複数枚の原稿の内、下位の原稿は、摩擦板１６によって送り出されない。
【００３８】
分離ローラ５から送り出された原稿Ｄの先端Ｄａが、レジストセンサ８によって検知されて、所定の時間を経過すると（ＴＡ、Ｔ３）、ＣＰＵ５０は、第１の電磁クラッチ１４をＯＦＦにして、ピックアップローラ４と分離ローラ５との回転を停止する。所定の時間経過する間に、原稿の先端Ｄａは、回転を停止しているレジストローラ対７のニップＮＰに当接させられて、原稿の後半部分Ｄｂが分離ローラ５によって搬送される（図７（Ａ））。このため、原稿は、分離ローラ５の原稿搬送によって、図７（Ｂ）のように、レジストローラ対７と分離ローラ５の間で湾曲して撓む。いわゆる、レジストループが形成される。レジストループにより原稿の斜行が真っ直ぐに矯正される。
【００３９】
原稿にレジストループが形成されてから、ＣＰＵ５０は、第２の電磁クラッチ１５をＯＦＦからＯＮにする（Ｔ４）。すると、駆動モータ３１の回転力がレジストローラ対７に伝達されて、レジストローラ対７が回転する。このとき、第１の電磁クラッチ１４は、ＯＦＦになったままであるから、分離ローラ５は、回転を停止しており、原稿の後半部分Ｄｂを搬送していない。このため、レジストローラ対７の回転により、レジストループが解消されていく（図７（Ｃ））。
【００４０】
ＣＰＵ５０は、第２の電磁クラッチ１５をＯＮにしてからレジストループが解消される直前までの所定時間（ＴＢ）経過したとき（Ｔ５）、第１の電磁クラッチ１４を再びＯＮにする。すると、分離ローラ５とピックアップローラ４が再び回転して、原稿の後半部分を搬送する（図７（Ｄ））。そして、ＣＰＵ５０は、原稿の後半部分Ｄｂが分離ローラ５を通過する所定時間（ＴＣ）経過したとき（Ｔ６）、分離ローラ５を回転停止させる。しかし、レジストループが大きい場合、ＣＰＵ５０は、その後（Ｔ７）、再度、分離ローラを所定時間（ＴＤ）回転させて、停止させてもよい（Ｔ８）。
【００４１】
図７（Ｄ）に示すように、ＣＰＵ５０が、レジストローラ対７に原稿Ｄを搬送させて、レジストループを解消する直前までに、分離ローラ５を回転させるので、原稿は、後半部分を分離ローラ５から引っ張り出されて、張った状態になることがない。したがって、シート搬送装置１１０は、原稿の撓みを解消するときに発生する音を低減することができる。また、原稿を引き裂くことも防止することができる。
【００４２】
また上記のように、分離ローラ５の回転の停止と、所定時間（ＴＣ，ＴＤ）の回転継続とを複数回繰り返すと、レジストループの量が段階的に徐々に低減されて、レジストループの解消によって生じるループ解消音を確実に低減することができる。また、原稿を引き裂くことも低減することができる。この場合、後から回転継続させる所定時間を短くすることが好ましい。
【００４３】
また、分離ローラ５のスリップ回転や、原稿の斜行等を原因にして、原稿の先端がレジストローラ対７のニップＮＰに届かないことがある。このような場合において、レジストループを解消する直前までに、分離ローラ５を回転させるようになっていると、原稿をレジストローラ対７に搬送することが出来て、原稿の搬送を継続することができる。
【００４４】
なお、原稿給送部１０２は、画像読取装置１０４の読取効率向上のため、ピックアップローラ４と分離ローラ５を含む給紙分離部６の原稿搬送速度（シート搬送速度）を、レジストローラ対７の原稿搬送速度より速く設定されていることがある。このような場合、ピックアップローラ４と分離ローラ５を所定時間ＴＣ回転させると、解消直前のレジストループが再び増加することになる。
【００４５】
このような場合、レジストループが解消されるまで、分離ローラ５を何回も回転の停止と所定時間の回転とを繰り返すのが好ましい。しかし、この場合、前回の回転継続時間（ＴＣ）よりも、後の回転継続時間（ＴＤ）を短く（ＴＣ＞ＴＤ）設定しないと、レジストループが解消されないで、逆に増加することになる。したがって、回転継続時間を（前回の回転継続時間＞後の回転継続時間）の関係を設定しておく必要がある。
【００４６】
この場合も、レジストループの量が段階的に徐々に低減されていくことになり、レジストループの急激な解消によって生じるループ解消音を低減することができる。
【００４７】
以上において、画像読取装置１０４は、原稿を引っ張るときに音が発生しないシート搬送装置１１０を備えているので、動作音を小さくすることができる。
【００４８】
また、画像形成装置１０１は、シートを引っ張るときに音が発生しないシート搬送装置１１０を備えているので、動作音を小さくすることができる。
【００４９】
以上のシート搬送装置１１０は、画像読取装置１０４に組み込んであるが、画像形成装置の装置本体１０１Ａのレジストローラ対１３６と搬送ローラ対１３１とにも適用することができる。この場合も同様な効果を奏する。
【符号の説明】
【００５０】
４：ピックアップローラ、５：分離ローラ（搬送ローラ）、７：レジストローラ対、８：レジストセンサ、１４：第１の電磁クラッチ（第１のクラッチ）、１５：第２の電磁クラッチ（第２のクラッチ）、３１：駆動モータ（回転駆動源）、１０１：画像形成装置、１０１Ａ：画像形成装置の装置本体、１０２：原稿給送部、１０３：原稿読取部、１０４：画像読取装置、１１０：シート搬送装置、１３１：搬送ローラ対（搬送ローラ）、１３３：画像形成部、１３６：レジストローラ対、Ｄ：原稿（シート）、Ｐ：シート。
【図１】
2015086059.tif 000003
【図２】
2015086059.tif 000004
【図３】
2015086059.tif 000005
【図４】
2015086059.tif 000006
【図５】
2015086059.tif 000007
【図６】
2015086059.tif 000008
【図７】
2015086059.tif 000009
【図８】
2015086059.tif 000010